(57)【要約】【課題】選局してからワーク鍵を取得までの時間遅れにより発生する問題を解消する。【解決手段】制御部８は、デジタル放送信号に多重され伝送される、もしくは記録媒体（メモリ１１）に記録された、あるいは通信により取得される更新されたワーク鍵を取得して記憶手段に記録されているワーク鍵Ｋｗを更新するとともに、受信中のデジタル放送信号から更新されたワーク鍵を取得するまでの間、記憶手段から読み出されるワーク鍵Ｋｗを用いてスクランブル鍵を復号する。デスクランブラ４は、復号されたスクランブル鍵を用いて番組コンテンツのスクランブルを解除する。【選択図】図１
2009200616.tif 000002
【特許請求の範囲】
【請求項１】
ワーク鍵で暗号化されたスクランブル鍵によりスクランブルされ放送される番組コンテンツを受信するデジタル放送受信機であって、
デジタル放送信号を受信して復調するデジタル放送受信手段と、
前記ワーク鍵を含む受信機プログラムを記憶する記憶手段と、
前記デジタル放送信号に多重され伝送される、更新されたワーク鍵を含む受信機プログラムを取得して前記記憶手段を更新するとともに、受信中のデジタル放送信号から前記更新されたワーク鍵を取得するまでの間、前記記憶手段から読み出されるワーク鍵を用いて前記スクランブル鍵を復号する制御手段と、
前記制御手段で復号されたスクランブル鍵を用いて前記番組コンテンツのスクランブルを解除するデスクランブル手段と、
を備えたことを特徴とするデジタル放送受信機。
【請求項２】
ワーク鍵で暗号化されたスクランブル鍵によりスクランブルされ放送される番組コンテンツを受信するデジタル放送受信機であって、
デジタル放送信号を受信して復調するデジタル放送受信手段と、
前記ワーク鍵を含む受信機プログラムを記憶する記憶手段と、
記録媒体に記録されている、更新されたワーク鍵を含む受信機プログラムを取得して前記記憶手段を更新するとともに、受信中のデジタル放送信号から前記更新されたワーク鍵を取得するまでの間、前記記憶手段から読み出されるワーク鍵を用いて前記スクランブル鍵を復号する制御手段と、
前記制御手段で復号されたスクランブル鍵を用いて前記番組コンテンツのスクランブルを解除するデスクランブル手段と、
を備えたことを特徴とするデジタル放送受信機。
【請求項３】
ワーク鍵で暗号化されたスクランブル鍵によりスクランブルされ放送される番組コンテンツを受信するデジタル放送受信機であって、
デジタル放送信号を受信して復調するデジタル放送受信手段と、
前記ワーク鍵を保持する記憶手段と、
移動通信網経由で通信により取得される、更新された前記ワーク鍵にしたがい前記記憶手段を更新するとともに、受信中のデジタル放送信号から前記更新されたワーク鍵を取得するまでの間、前記記憶手段から読み出されるワーク鍵を用いて前記スクランブル鍵を復号する制御手段と、
前記制御手段で復号されたスクランブル鍵を用いて前記番組コンテンツのスクランブルを解除するデスクランブル手段と、
を備えたことを特徴とするデジタル放送受信機。
【請求項４】
前記制御手段は、
現在地を検出し、前記通信により取得する前記更新されたワーク鍵を、現在地、もしくは現在地を含む近隣で受信可能な放送局のワーク鍵に制限することを特徴とする請求項３記載のデジタル放送受信機。
【請求項５】
目的地設定可能なナビゲーション手段を更に備え、
前記制御手段は、
前記ナビゲーション手段から目的地までの経路情報を取得し、前記通信により取得する前記更新されたワーク鍵を、現在地から目的地までの経路上で受信可能な放送局のワーク鍵に制限することを特徴とする請求項３記載のデジタル放送受信機。
【請求項６】
前記制御手段は、
放送局毎の選局履歴を記憶し、前記通信により取得する前記更新されたワーク鍵を、選局頻度の高い放送局のワーク鍵に制限することを特徴とする請求項３記載のデジタル放送受信機。
【請求項７】
ワーク鍵で暗号化されたスクランブル鍵によりスクランブルされ放送される番組コンテンツを受信するデジタル放送受信機であって、
デジタル放送信号を受信して復調するデジタル放送受信手段と、
前記ワーク鍵を保持する記憶手段と、
前記デジタル放送信号に多重され伝送される各放送局のワーク鍵を取得し、前記記憶手段に保持するとともに、暗号化した各放送局のワーク鍵を通信により前記外部サーバに送信する通信手段と、
前記通信手段により前記外部サーバから取得した各放送局のワーク鍵で前記記憶手段に保持されているワーク鍵を更新し、前記更新されたワーク鍵を用いて前記スクランブル鍵を復号する制御手段と、
前記制御手段で復号されたスクランブル鍵を用いて前記番組コンテンツのスクランブルを解除するデスクランブル手段と、
を備えたことを特徴とするデジタル放送受信機。
【請求項８】
ワーク鍵で暗号化されたスクランブル鍵によりスクランブルされ放送される番組コンテンツを受信するデジタル放送受信機であって、
デジタル放送信号を受信して復調する第１と第２のデジタル放送受信手段と、
前記デジタル放送信号に多重され伝送されるワーク鍵を保持する記憶手段と、
前記第１のデジタル放送受信手段で前記番組コンテンツを視聴中に、前記第２のデジタル放送受信手段を用い、前記デジタル放送信号に多重され伝送される更新された各放送局のワーク鍵を取得して前記記憶手段に保持するとともに、前記記憶手段に保持されたワーク鍵を用いて前記スクランブル鍵を復号する制御手段と、
前記制御手段で復号されたスクランブル鍵を用いて前記番組コンテンツのスクランブルを解除するデスクランブル手段と、
を備えたことを特徴とするデジタル放送受信機。
【請求項９】
前記制御手段は、
前記放送信号が復調され入力されるトランスポートストリームからスクランブル鍵を抽出するスクランブル鍵抽出手段と、
前記トランスポートストリームから前記ワーク鍵を抽出するワーク鍵抽出手段と、
前記抽出されたワーク鍵を前記記憶手段に記録するワーク鍵記録手段と、
前記ワーク鍵記録手段に記録されたワーク鍵を読み出し、前記読み出されたワーク鍵を用いて前記スクランブル鍵を復号するスクランブル鍵復号手段と、
前記デジタル放送信号に多重され伝送される、もしくは前記記録媒体に記録された、あるいは通信により取得される更新されたワーク鍵を取得し、前記記憶手段に記録されている前記ワーク鍵を更新するワーク鍵更新手段と、
を含むことを特徴とする請求項１から請求項８のうちのいずれか１項記載のデジタル放送受信機。
【発明の詳細な説明】
【技術分野】
【０００１】
この発明は、ワーク鍵で暗号化されたスクランブル鍵によりスクランブルされて放送される番組コンテンツを受信する、デジタル放送受信機に関するものである。
【背景技術】
【０００２】
地上デジタルテレビジョン放送では、映像や音声等のコンテンツを不正なコピー等から守るための一つにコンテンツ保護方式があり、具体的には、ＡＲＩＢ（Association of Radio Industries and Businesses）ＳＴＤ−Ｂ２５第３部で規定されている。また、国内では、Ｂ−ＣＡＳ（デジタル放送用限定受信方式）の標準暗号として採用されているＭＵＬＴＩ２により番組コンテンツにスクランブルが施されて放送されている。
このスクランブルを解除するスクランブル鍵Ｋｓはワーク鍵Ｋｗで暗号化され、ＥＣＭ（Entitlement Control Message）で放送により各デジタル放送受信機に送信される。また、ワーク鍵Ｋｗは、デバイス毎にユニークなデバイス鍵Ｋｄで暗号化され、ＥＭＭ（Entitlement Management Message）で放送により各デジタル放送受信機に送信される。このワーク鍵Ｋｗは、各放送局から自局のワーク鍵Ｋｗの情報のみがＥＭＭにより伝送される。また、ワーク鍵Ｋｗは、定期的に更新されるとともにワーク鍵Ｋｗの漏洩が発覚した場合には不定期に更新される。
【０００３】
デジタル放送受信機は、はじめて受信する放送局の放送や、ワーク鍵Ｋｗが更新された後に放送を受信した放送局の放送は、番組コンテンツとともにＥＣＭとＥＭＭを受信してワーク鍵Ｋｗを取り出し、このワーク鍵Ｋｗをデバイス鍵Ｋｄで復号し、復号したワーク鍵Ｋｗでスクランブル鍵Ｋｓを復号し、更に、復号したスクランブル鍵Ｋｓで番組コンテンツのスクランブルを解除することによりはじめて映像や音声のデコードが可能になる。
上記したコンテンツ保護の仕組みについては従来から多数の特許出願がなされており、例えば、以下に示す特許文献１にその内容が詳細に開示されている。
【０００４】
【特許文献１】特開２００６−１２９２４３号公報
【発明の開示】
【発明が解決しようとする課題】
【０００５】
ところで、上記したコンテンツ保護方式によれば、ＥＣＭは比較的短周期で送信されるため、ＥＣＭが受信できるまでの時間遅れは殆ど問題にならないが、ＥＭＭは比較的送信周期が長いため、デジタル放送受信機は、ＥＭＭが受信できるまでワーク鍵Ｋｗを取得することができず、したがって、この間、スクランブル鍵Ｋｓを復号することができない。この時間遅れは、選局してから映像や音声が出力されるまでの時間遅れの一因になり、視聴者に不快感を与えるという問題があった。
特に、車載用デジタル放送受信機等の移動体の場合は、受信する放送局が変化する毎にその放送局の放送をはじめて受信することになり、したがって上記した問題は無視することができなかった。
【０００６】
この発明は上記した課題を解決するためになされたものであり、選局してからワーク鍵を取得するまでの時間遅れにより発生する悪影響を回避することのできるデシタル放送受信機を提供することを目的とする。
【課題を解決するための手段】
【０００７】
上記した課題を解決するためにこの発明のデジタル放送受信機は、ワーク鍵で暗号化されたスクランブル鍵によりスクランブルされ放送される番組コンテンツを受信するデジタル放送受信機であって、デジタル放送信号を受信して復調するデジタル放送受信手段と、前記ワーク鍵を含む受信機プログラムが記憶される記憶手段と、前記デジタル放送信号に多重され伝送される、更新されたワーク鍵を含む受信機プログラムを取得して前記記憶手段を更新するとともに、受信中のデジタル放送信号から前記更新されたワーク鍵を取得するまでの間、前記記憶手段から読み出されるワーク鍵を用いて前記スクランブル鍵を復号する制御手段と、前記制御手段で復号されたスクランブル鍵を用いて前記番組コンテンツのスクランブルを解除するデスクランブル手段とを備えたものである。
【０００８】
また、この発明のデジタル放送受信装置は、ワーク鍵で暗号化されたスクランブル鍵によりスクランブルされ放送される番組コンテンツを受信するデジタル放送受信機であって、デジタル放送信号を受信して復調するデジタル放送受信手段と、更新されたワーク鍵を含む受信機プログラムが記録された記録媒体と、受信中のデジタル放送信号から前記更新されたワーク鍵を取得するまでの間、前記記録媒体から読み出されるワーク鍵を用いて前記スクランブル鍵を復号する制御手段と、前記制御手段で復号されたスクランブル鍵を用いて前記番組コンテンツのスクランブルを解除するデスクランブル手段とを備えたものである。
【０００９】
また、この発明のデジタル放送受信装置は、ワーク鍵で暗号化されたスクランブル鍵によりスクランブルされ放送される番組コンテンツを受信するデジタル放送受信機であって、デジタル放送信号を受信して復調するデジタル放送受信手段と、前記ワーク鍵を含む受信機プログラムが記憶される記憶手段と、移動通信網経由で通信により取得される、更新された前記ワーク鍵を含む受信機プログラムにしたがい前記記憶手段を更新するとともに、受信中のデジタル放送信号から前記更新されたワーク鍵を取得するまでの間、前記記憶手段から読み出されるワーク鍵を用いて前記スクランブル鍵を復号する制御手段と、前記制御手段で復号されたスクランブル鍵を用いて前記番組コンテンツのスクランブルを解除するデスクランブル手段とを備えたものである。
【００１０】
また、この発明のデジタル放送受信装置は、ワーク鍵で暗号化されたスクランブル鍵によりスクランブルされ放送される番組コンテンツを受信するデジタル放送受信機であって、
デジタル放送信号を受信して復調するデジタル放送受信手段と、前記ワーク鍵を保持する記憶手段と、デジタル放送信号に多重され伝送される各放送局のワーク鍵を取得し、前記記憶手段に保持するとともに、暗号化した各放送局のワーク鍵を通信により前記外部サーバに送信する通信手段と、前記通信手段により前記外部サーバから取得した各放送局のワーク鍵で前記記憶手段に保持されているワーク鍵を更新し、前記更新されたワーク鍵を用いて前記スクランブル鍵を復号する制御手段と、前記制御手段で復号されたスクランブル鍵を用いて前記番組コンテンツのスクランブルを解除するデスクランブル手段とを備えたものである。
【００１１】
また、この発明のデジタル放送受信装置は、ワーク鍵で暗号化されたスクランブル鍵によりスクランブルされ放送される番組コンテンツを受信するデジタル放送受信機であって、
デジタル放送信号を受信して復調する第１と第２のデジタル放送受信手段と、前記デジタル放送信号に多重され伝送されるワーク鍵を保持する記憶手段と、前記第１のデジタル放送受信手段で前記番組コンテンツを視聴中に、前記第２のデジタル放送受信手段を用い、前記デジタル放送信号に多重され伝送される更新された各放送局のワーク鍵を取得して前記記憶手段に保持するとともに、前記記憶手段に保持されたワーク鍵を用いて前記スクランブル鍵を復号する制御手段と、前記制御手段で復号されたスクランブル鍵を用いて前記番組コンテンツのスクランブルを解除するデスクランブル手段とを備えたものである。
【発明の効果】
【００１２】
この発明のデジタル放送受信機によれば、選局してからワーク鍵を取得までの時間遅れにより発生する悪影響を回避することができる。
【発明を実施するための最良の形態】
【００１３】
実施の形態１．
図１は、この発明の実施の形態１に係るデジタル放送受信機の内部構成を示すブロック図である。
【００１４】
図１に示されるように、この発明の実施の形態１に係るデジタル放送受信機は、アンテナ１と、チューナ２と、ＯＦＤＭ（Orthogonal Frequency Division Multiplexing）復調部３と、デスクランブラ４と、デマルチプレクサ５と、オーディオデコーダ６と、ビデオデコーダ７と、例えば、マイコン（ＣＰＵ）により構成される制御部８と、音声出力部９と、映像出力部１０と、メモリ１１と、リモコン１２と、により構成される。
【００１５】
上記構成において、デジタル放送信号（電波）がアンテナ１で受信され、チューナ２に入力される。そして、チューナ２で選局対象のチャンネルの周波数成分が抽出され、ＯＦＤＭ復調部３にてデジタル信号に復調され、トランスポートストリーム（ＴＳ信号）としてデスクランブラ４に入力される。トランスポートストリームは、スクランブルされたパケットと、スクランブルされていないパケットから構成されており、スクランブルされたパケットは、デスクランブラ４にてスクランブルが解除される。
【００１６】
デスクランブラ４でスクランブルが解除されたトランスポートストリームは、デマルチプレクサ５に入力される。デマルチプレクサ５で、トランスポートストリームが、オーディオストリームと、ビデオストリームと、ＥＣＭと、ＥＭＭと、ＳＤＴＴ（Software Download Trigger Table）と、ＤＳＭ−ＣＣ（Digital Storage Media Command and Control）他に分離され、オーディオストリームはオーディオデコーダ６に、ビデオストリームはビデオデコータ７に、ＥＣＭ、ＥＭＭ、ＳＤＴＴ、ＤＳＭ−ＣＣは制御部８にそれぞれ入力される。
そして、オーディオストリームはオーディオデコーダ６でデコードされ、音声出力部９を介して音声出力部として出力される。また、ビデオストリームは、ビデオデコーダ７でデコードされ、映像出力部１０を介して映像出力として出力される。ＥＣＭ、ＥＭＭ、ＳＤＴＴ、ＤＳＭ−ＣＣは、制御部８で以下のように制御される。
【００１７】
すなわち、制御部８において、ＥＭＭから抽出されたワーク鍵Ｋｗは、メモリ１１に保存されているデバイス鍵Ｋｄを用いて復号される。ＥＣＭから抽出されたスクランブル鍵Ｋｓは、復号されたワーク鍵Ｋｗを用いて復号される。復号されたスクランブル鍵Ｋｓはデスクランブラ４に入力され、トランスポートストリームのデスクランブルに利用される。
ＳＤＴＴは、受信機プログラムのダウンロードのスケジュール把握に利用され、自機種向けのダウンロード・コンテンツが放送されていることを検知した場合、制御部８は、ＤＳＭ−ＣＣから自機種向けのプログラムを抽出してメモリ１１に保存する。これらの一連の動作は、制御部８によって制御され、このとき動作する制御部８の受信機プログラはメモリ１１に保存されている。
【００１８】
また、メモリ１１には、予め、各放送局のワーク鍵Ｋｗも保存されており、電源を投入したときや、リモコン１２で選局切り換え等を行なった場合、トランスポートストリームがデスクランブラ４に入力され、制御部８は、ＥＭＭより先にＥＣＭが入力された場合、ＥＭＭから抽出したワーク鍵Ｋｗではなく、上記したメモリ１１に保存してあるワーク鍵Ｋｗを用いて、スクランブル鍵Ｋｓを復号するものとする。詳細は後述する。
【００１９】
図２は、図１に示す制御部８の内部構成をメモリ１１のデータ構造とともに模式的に示した機能ブロック図である。
【００２０】
図２に示されるように、制御部８は、ＳＤＴＴ入力部８０１と、ダウンロード制御部８０２と、リモコン入力部８０３と、選局処理部８０４と、ＤＳＭ−ＣＣ入力部８０５と、プログラム記録部８０６と、Ｋｗ選択部８０７と、Ｋｗ復号部８０８と、Ｋｓ抽出部８０９と、Ｋｓ復号部８１０と、Ｋｗ抽出部８１１と、Ｋｄ選択部８１２と、Ｋｗ復号部８１３と、Ｋｗ選択部８１４の各機能ブロックに展開され、構成される。
【００２１】
例えば、上記したＫｓ抽出部８０９は、請求項９に記載の「放送信号が復調されて入力されるトランスポートストリームからスクランブル鍵Ｋｓを抽出するスクランブル鍵抽出手段」として、Ｋｗ抽出部８１１は、「トランスポートストリームからワーク鍵Ｋｗを抽出するワーク鍵抽出手段」として、プログラム記憶部８０６は、「抽出されたワーク鍵Ｋｗを記憶手段に記録するワーク鍵記録手段」として、また、Ｋｗ選択部８０７と、Ｋｗ復号部８０８と、Ｋｓ抽出部８０９と、Ｋｓ復号部８１０が協働して動作することにより、「記憶手段に記録されたワーク鍵を読み出し、読み出されたワーク鍵を用いてスクランブル鍵を復号するスクランブル鍵復号手段」として機能する。
【００２２】
また、ＳＤＴＴ入力部８０１と、ダウンロード制御部８０２と、リモコン入力部８０３と、選局処理部８０４と、ＤＳＭ−ＣＣ入力部８０５と、プログラム記録部８０６が協働して動作することにより、「デジタル放送信号に多重されて伝送される、更新されたワーク鍵を含む受信機プログラムを取得し、記憶手段に記録されているワーク鍵を更新するワーク鍵更新手段」として機能する。上記した各機能ブロック８０１〜８１４についての詳細はいずれも後述する。
【００２３】
一方、上記した記憶手段としてのメモリ１１は多面構造（プレーン）となっており、メモリ１１は、制御部８の受信機プログラムを保持する第１プレーン１１１、第２プレーン１１２、そして、第１プレーン１１１と第２プレーン１１２のいずれを使用するかを指示する有効プレーン指示部１１３とから構成されている。
第１プレーン１１１および第２プレーン１１２は、それぞれの内部に制御部８の受信機プログラムの一部として、Ｋｄ保持部２４、Ｋｗ保持部２５、Ｋｍ保持部２６を含んでいる。Ｋｄ保持部２４およびＫｗ保持部２５は、それぞれ各放送局のデバイス鍵Ｋｄ、およびワーク鍵Ｋｗを保持している。ここで、メモリ１１を多面構造としたのは、ダウンロードにより取得する受信機プログラムをダウンロード前後で切り換え使用する必要があるためである。詳細は後述する。
【００２４】
図３、図４は、この発明の実施の形態１に係るデジタル放送受信機の動作を説明するために示してフローチャートであり、基本動作（図３）、ダウンロード動作（図４）のそれぞれにおける動作手順を示している。
以下、図３、図４に示すフローチャートを参照しながら、図１、図２に示すこの発明の実施の形態１に係るデジタル放送受信機の動作について詳細に説明する。
【００２５】
まず、図３のフローチャートに示す基本動作から説明する。ここでは、初期状態において、制御部８の受信機プログラムがメモリ１１の第１プレーン１１１に保存されている場合を示している。このため、制御部８が起動されると、制御部８は、有効プレーン指示部１１３の指示にしたがい受信機プログラムをメモリ１１の第１プレーン１１１から読み込んで動作する。すなわち、制御部８は、有効プレーン指示部１１３がいずれのプレーンを有効として指示しているかを判定し（ステップＳＴ３１）、第１プレーン１１１が有効であることを示していた場合、（ステップＳＴ３１“ＹＥＳ”）、第１プレーン１１１から受信機プログラムを読み出し（ステップＳＴ３２）、第２プレーン１１２が有効であることを示していた場合（ステップＳＴ３１“ＮＯ”）、第２プレーン１１２から受信機プログラムを読み込む（ステップＳＴ３３）。ここでは、初期状態であるため、第１プレーン１１１から受信機プログラムが読み出される。
【００２６】
一方、ユーザがリモコン１２を操作することにより、リモコン入力部２９に選局切り換え指示が入力されると（ステップＳＴ３４“ＹＥＳ”）、選局処理部８０４は、チューナ２を制御して、指示された放送局を選局する。このとき、Ｋｗ選択部８０７は、選局処理部８０４から選局された放送局を判別し、メモリ１１のＫｗ保持部２５から該当する放送局のワーク鍵Ｋｗを読み出す（ステップＳＴ３５）。
ここで読み出されたワーク鍵Ｋｗは暗号化された状態にあり、このため、Ｋｗ復号部８０８は、メモリ１１のＫｍ保持部２６から読み出された独自の暗号鍵Ｋｍを用いてワーク鍵Ｋｗを復号する（ステップＳＴ３６）。
【００２７】
そして、デマルチプレクサ５によりトランスポートストリームから抽出されたＥＭＭがＫｗ抽出部８１１に入力されると、ワーク鍵Ｋｗが抽出され（ステップＳＴ３７“ＹＥＳ”、ＳＴ３８）、Ｋｗ復号部８１３は、Ｋｄ選択部８１２でメモリ１１のＫｄ保持部２４から選択されたデバイス鍵Ｋｄを用いてワーク鍵Ｋｗを復号する（ステップＳＴ３９）。
Ｋｗ選択部８０７において、最初は、Ｋｗ復号部８０８のワークー鍵Ｋｗが選択され、ＥＭＭからワークー鍵Ｋｗが抽出された後は、Ｋｗ復号部８１３のワーク鍵Ｋｗが選択される。また、デマルチプレクサ５でトランスポートストリームから抽出されたＥＣＭがＫｓ抽出部８０９に入力されるとスクランブル鍵Ｋｓが抽出され（ステップＳＴ４０“ＹＥＳ”、ＳＴ４１）、Ｋｓ復号部８１０は、Ｋｗ選択部８１４で選択されたワーク鍵Ｋｗを用いてスクランブル鍵Ｋｓを復号する（ステップＳＴ４２）。ここで復号されたスクランブル鍵Ｋｓはデスクランブラ４に入力され、トランスポートストリームのデスクランブルに使用される（ステップＳＴ４３）。
【００２８】
続いて、デジタル放送を受信中に、デマルチプレクサ５でトランスポートストリームから抽出されたＳＤＴＴはＳＤＴＴ入力部８０１に入力され（ステップＳＴ４４“ＹＥＳ”）、ダウンロード制御部８０２はそのＳＤＴＴを認識することにより自機種に対する受信機プログラムのダウンロード放送が実施されているか否かを検出する（ステップＳＴ４５）。
ここで、自機種に対する受信機プログラムのダウンロード放送が実施されていることを検出した場合（ステップＳＴ４５“ＹＥＳ”）、ダウンロード制御部８０２は、例えば、メモリ１１の所定の領域に割当てられたダウンロードフラグを１にセットする（ステップＳＴ４６）。続いてダウンロード制御部８０２は、リモコン入力部８０３を介し選局処理部８０４に電源オフの指示が入力されたことを検出した場合（ステップＳＴ４７“ＹＥＳ”）、上記したダウンロードフラグが１にセットされていることを確認したうえで（ステップＳＴ４８“ＹＥＳ”）、ダウンロードを実行する（ステップＳＴ４９）。ダウンロードの詳細についは図４のフローチャートを参照しながら後述する。
【００２９】
なお、電源ＯＦＦが指示されていない場合は（ステップＳＴ４７“ＮＯ”）、選局の有無を判定するステップＳＴ３４の処理に、ダウンロードフラグが１にセットされていない場合は（ステップＳＴ４８“ＮＯ”）、上記した一連の処理を終了する。
【００３０】
ここで、ダウンロード実行時の詳細手順について説明する。図４のフローチャートに示されるように、ダウンロード制御部８０２は、ダウンロードを実行するにあたり（ステップＳＴ４９）、選局処理部８０４を介し、音声出力部９および映像出力部１０を制御し、音声と映像の出力を停止させるとともに（ステップＳＴ４９１）、チューナ２を制御して、ダウンロード放送を実施している放送局を選局する（ステップＳＴ４９２）。
一方、デマルチプレクサ５にてトランスポートストリームから抽出されたＤＳＭ−ＣＣはＤＳＭ−ＣＣ入力部８０５に入力され、ダウンロード制御部８０２は、ＤＳＭ−ＣＣ中から自機種に対する受信機プログラムを抽出して組み立てる。
【００３１】
ここで受信機プログラムが組み立てられた場合（ステップＳＴ４９３“ＹＥＳ”）、その受信機プログラムはプログラム記録部８０６によりメモリ１１に保存される（ステップＳＴ４９４）。このとき、プログラム記録部８０６は、受信機プログラムが完成したか否かを判定し（ステップＳＴ４９５）、完成した場合（ステップＳＴ４９５“ＹＥＳ”）、有効プレーン指示部１１３により現在使用中のプレーンが第１プレーン１１１であることを検知して（ステップＳＴ４９６“Ｙｅｓ”）、ダウンロードにより取得したコンテンツである受信機プログラムを第２プレーン１１２に記録するとともに（ステップＳＴ４９７）、有効プレーン指示部１１３の内容が第２プレーン１１２を指示するように書き換える（ステップＳＴ４９８）。
なお、ステップＳＴ４９６で有効プレーン指示部１１３により現在使用中のプレーンが第２プレーン１１２であることが検知された場合（ステップＳＴ４９６“Ｎｏ”）、その受信機プログラムは第１プレーン１１１に記録されるとともに（ステップＳＴ４９９）、有効プレーン指示部１１３の内容が第１プレーン１１１を指示するように書き換えられる（ステップＳＴ５００）。続いて、ダウンロードフラグを０クリアして上記した一連のダウンロード処理を終了する（ステップＳＴ５０１）。
【００３２】
上記したダウンロードコンテンツである受信機プログラムをメモリ１１に書き込むとき、この受信機プログラムに事前に更新されたワーク鍵Ｋｗも共に書き込んでおけば、この受信機プログラムのダウンロードによりワーク鍵Ｋｗも更新されることになる。ここで、ワーク鍵Ｋｗが更新されていなければ、Ｋｗ復号部８０８のワーク鍵Ｋｗと、Ｋｗ復号部８１３のワーク鍵Ｋｗは同じである。
なお、メモリ１１のＫｗ保持部２５に保持される各放送局のワーク鍵Ｋｗは、デジタル放送受信機とは別に、予め各放送局の放送を受信してワーク鍵Ｋｗを取得し、独自の暗号鍵Ｋｍを用いて暗号化したものである。そして、いずれかの放送局のワーク鍵Ｋｗが更新されたら、更新されたワーク鍵Ｋｗを取得して独自の暗号鍵Ｋｍを用い暗号化し、更新されていない他の放送局のワーク鍵Ｋｗとともに受信機プログラムに組み込み、ダウンロード放送でデジタル放送受信機にダウンロードする。
【００３３】
以上説明のようにこの発明の実施の形態１に係るデジタル放送受信装置によれば、例えば、アンテナ１と、チューナ２と、ＯＦＤＭ復調部３は、請求項１記載の「デジタル放送信号を受信して復調するデジタル放送受信手段」として、また、Ｋｗ保持部２５が割り付けられるメモリ１１は、「前記ワーク鍵を含む受信機プログラムを記憶する記憶手段」として、また、ＳＤＴＴ入力部８０１と、ダウンロード制御部８０２と、ＤＳＭ−ＣＣ入力部８０５と、プログラム記録部８０６を含む制御部８は、「前記デジタル放送信号に多重されて伝送される、更新されたワーク鍵を含む受信機プログラムを取得して前記記憶手段を更新するとともに、受信中のデジタル放送信号から前記更新されたワーク鍵を取得するまでの間、前記記憶手段から読み出されるワーク鍵を用いて前記スクランブル鍵を復号する制御手段」として、また、デスクランブラ４は、「前記制御手段で復号されたスクランブル鍵を用いて前記番組コンテンツのスクランブルを解除するデスクランブル手段」として、それぞれ機能する。
【００３４】
上記したこの発明の実施の形態１に係るデジタル放送受信機によれば、予め内部に各放送局のワーク鍵Ｋｗを記憶しておき、放送による受信機プログラムのダウンロードとともにワーク鍵Ｋｗを最新のものに更新することにより、内部に保持している各放送局のワーク鍵Ｋｗは常に最新のものに更新される。したがって、はじめて選局した放送局、あるいはワーク鍵Ｋｗの更新後にはじめて選局した放送局であっても、選局後、ＥＭＭを受信する前からワーク鍵Ｋｗを使用することができる。
すなわち、ワーク鍵ＫｗをＥＭＭから取り出すだけではなく、事前に取得した各放送局のワーク鍵Ｋｗを受信機プログラムに組み込んで保持しておくようにし、ワーク鍵Ｋｗが更新された場合に受信機プログラムのダウンロード放送を利用して受信機プログラムに組み込まれたワーク鍵Ｋｗを最新のものに更新することで、はじめて受信した放送局でもＥＭＭ受信前に更新されたワーク鍵Ｋｗを使用することができ、ＥＭＭが受信できるまでの時間遅れが発生することなく番組コンテンツのスクランブルを解除することができる。したがって、選局してから映像や音声が出力されるまでの時間遅れによりユーザに与えていた不快感を解消することができる。
【００３５】
実施の形態２．
図５は、この発明の実施の形態２に係るデジタル放送受信機の内部構成を示すブロック図である。
【００３６】
図１に示す実施の形態１との差異は、実施の形態１で説明した、ワーク鍵Ｋｗを含む受信機プログラムのダウンロード放送を受信することによりワーク鍵Ｋｗを更新する方法に代え、メモリカード等の記録媒体によるダウンロードによりワーク鍵を更新する方法としたことにある。このため、図１に示すデジタル放送受信機の構成に、更新されたワーク鍵Ｋｗが組み込まれた受信機プログラムが予め記録されたメモリカード１３を、メモリカード制御部１４を介して制御部８に接続する構成とした。他の構成は、図１に示す実施の形態１と同様である。
【００３７】
図６は、図５に示す制御部８の内部構成をメモリ１１のデータ構造とともに模式的に示した機能ブロック図である。
【００３８】
図２に示す実施の形態１との差異は、実施の形態１に示されるＳＤＴＴ入力部８０１と、ダウンロード制御部８０２と、ＤＳＭ−ＣＣ入力部８０５が不要となり、代わりに、ダウンロード制御部８１５が付加されたことにある。他の構成は図２に示す実施の形態１と同様である。
以下、図７に示すフローチャートを参照しながら、ダウンロード制御部８１５の動作に着目して動作説明を行う。
【００３９】
ここでも実施の形態１同様、制御部８の受信機プログラムは、初期状態においてメモリ１１の第１プレーン１１１に保存されている例が示されている。
制御部８が起動すると、制御部８は、有効プレーン指示部１１３の指示にしたがいメモリ１１の第１プレーン１１１から受信機プログラムを読み込んで動作する（ステップＳＴ３１〜ＳＴ３３）。以降、選局操作の有無からＥＣＭ入力の有無を判定し、スクランブル鍵Ｋｓをデスクランブラ４にセットするまでの動作（ＳＴ３４〜ＳＴ４３）は実施の形態１と同様であるため、重複を回避する意味で説明を省略する。
【００４０】
ダウンロード制御部８１５は、メモリカード制御部１４からの入力を監視している（ステップＳＴ７１）。メモリカード制御部１４により、メモリカード１３が接続されたことが検知されると（ステップＳＴ７１“ＹＥＳ”）、ダウンロード制御部８１５は、メモリカード１３内に更新されたワーク鍵が組み込まれた受信機プログラムが記録されているか否かを判定する（ステップＳＴ７２）。
ここで、記録されていることが確認されると（ステップＳＴ７２“ＹＥＳ”）、ダウンロード制御部８１５は、メモリカード制御部１４を介してメモリカード１３から更新されたワーク鍵が組み込まれた受信機プログラムを読み出し、プログラム記録部８０６を介してメモリ１１（更新されたワーク鍵ＫｗはＫｗ保持部２５）に記録する。なお、メモリカード１３内に受信機プログラムが記録されているか否かの判定は、例えば、所定の名前のファイルがあるか否か、あるいは所定の名前のフォルダがあるか否かによって判定される。
【００４１】
このとき、プログラム記録部８０６は、有効プレーン指示部１１３により現在使用中のプレーンが第１プレーン１１１であることを検知して（ステップＳＴ７３“Ｙｅｓ”）、その受信機プログラムを第２プレーン１１２に記録するとともに（ステップＳＴ７４）、有効プレーン指示部１１３の内容が第２プレーン１１２を指示するように書き換える（ステップＳＴ７５）。
なお、有効プレーン指示部１１３により現在使用中のプレーンが第２プレーン１１２であることが検知された場合（ステップＳＴ７３“Ｎｏ”）、実施の形態１同様、その受信機プログラムは第１プレーン１１１に記録されるとともに（ステップＳＴ７６）、有効プレーン指示部１１３の内容が第１プレーン１１１を指示するように書き換えられることはいうまでもない（ステップＳＴ７７）。
【００４２】
以上説明のようにこの発明の実施の形態２に係るデジタル放送受信機によれば、例えば、アンテナ１と、チューナ２と、ＯＦＤＭ復調部３は、請求項２に記載の「デジタル放送信号を受信して復調するデジタル放送受信手段」として、また、Ｋｗ保持部２５が割り付けられるメモリ１１は、「前記ワーク鍵を含む受信機プログラムを記憶する記憶手段」として、また、ダウンロード制御部８１５とプログラム記録部８０６を含む制御部８は、「記録媒体に記録されている、更新されたワーク鍵を含む受信機プログラムを取得して前記記憶手段を更新するとともに、受信中のデジタル放送信号から前記更新されたワーク鍵を取得するまでの間、前記記録媒体から読み出されるワーク鍵を用いて前記スクランブル鍵を復号する制御手段」として、また、デスクランブラ４は、「前記制御手段で復号されたスクランブル鍵を用いて前記番組コンテンツのスクランブルを解除するデスクランブル手段」として、それぞれ機能する。
【００４３】
上記した実施の形態２に係るデジタル放送受信機によれば、各放送局のワーク鍵Ｋｗを受信機プログラムに組み込んで保持し、メモリカード１３を用いた受信機プログラムのダウンロードによりワーク鍵Ｋｗを最新のものに更新することで、はじめて選局した放送局、あるいはワーク鍵Ｋｗの更新後にはじめて選局した放送局であっても、選局後すぐに最新のワーク鍵Ｋｗを使用でき、したがって、ワーク鍵Ｋｗを取得するまで映像や音声のデスクランブルができず、映像や音声の出力開始が遅くなるといった不具合を解消することができる。
なお、実施の形態２では、メモリカード１３からのダウンロードにより、受信機プログラム全体を更新する方法について説明したが、受信機プログラムを含まず、ワーク鍵Ｋｗのみ更新するようにしてもよい。
【００４４】
実施の形態３．
図８は、この発明の実施の形態３に係るデジタル放送受信機の内部構成を示すブロック図である。
【００４５】
図１、図５にそれぞれ示す、実施の形態１、実施の形態２との差異は、実施の形態１あるいは実施の形態２で示した、ダウンロード放送、あるいはメモリカード１３による受信機プログララムの取得により受信機プログラムを更新する方法に代えて、通信によりワーク鍵Ｋｗを更新する方法としたことにある。
このため、以下に説明する実施の形態３では、図１に示す実施の形態が有する構成に、新規に通信部１５が付加され、この通信部１５は、携帯電話等の移動通信網、ＩＰ（Internet Protocol）網経由で外部サーバ１７に接続される。他の構成は、図１に示す実施の形態１と同様である。
【００４６】
図９は、図８に示す制御部８の内部構成をメモリ１１のデータ構造とともに模式的に示した機能ブロック図である。
【００４７】
図２に示す実施の形態１との差異は、実施の形態１に示されるＳＤＴＴ入力部８０１と、ダウンロード制御部８０２と、ＤＳＭ−ＣＣ入力部８０５と、プログラム記録部８０６が不要となり、代わりに、通信制御部８１６と、Ｋｗ記録部８１７が付加されたことにある。また、メモリ１１は１プレーンで構成され、したがって、プレーンの区別が不要になっている。他の構成は図２に示す実施の形態１と同様である。
【００４８】
以下、図１０に示すフローチャートを参照しながら、通信制御部８１６、Ｋｗ記録部８１７に着目して動作説明を行う。
まず、制御部８が起動されると、通信制御部８１６は、通信部１５を制御し、ネットワーク１６経由で外部サーバ１７をアクセスする。このことにより、通信制御部８１６は、各放送局のワーク鍵Ｋｗを取得し（ステップＳＴ１０１）、取得したワーク鍵ＫｗをＫｗ記録部８１７によりメモリ１１のＫｗ保持部２５に書き込む（ステップＳＴ１０２）。このワーク鍵Ｋｗは、独自の暗号鍵Ｋｍにより暗号化され、外部サーバ１７に保持される。
【００４９】
以降、選局操作の有無からＥＣＭ入力の有無を判定し、スクランブル鍵Ｋｓをデスクランブラ４にセットするまでの動作（ＳＴ３４〜ＳＴ４３）は実施の形態１と同様であるため、重複を回避する意味で説明を省略する。実施の形態１とは受信機プログラム（ワーク鍵Ｋｗ）の更新の仕方が異なるだけであり、スクランブル鍵Ｋｓの復号やデスクランブルの方法は実施の形態１と同様である。
なお、上記の運用形態としては、例えば、企業が管理するサーバ（外部サーバ１７）がワーク鍵Ｋｗを通信により配布する方法と、ユーザによる外部サーバ１７のアクセスを経て供給する２通りが考えられる。
【００５０】
以上説明のようにこの発明の実施の形態３に係るデジタル放送受信機によれば、例えば、アンテナ１と、チューナ２と、ＯＦＤＭ復調部３は、請求項３に記載の「デジタル放送信号を受信して復調するデジタル放送受信手段」として、また、Ｋｗ保持部２５が割り付けられるメモリ１１は、「前記ワーク鍵を記憶する記憶手段」として、また、通信制御部８１６とＫｗ記録部８１７を含む制御部８は、「移動通信網経由で予め通信により取得される、更新された前記ワーク鍵を前記記憶手段に記憶するとともに、受信中のデジタル放送信号から前記更新されたワーク鍵を取得するまでの間、前記記憶手段から読み出されるワーク鍵を用いて前記スクランブル鍵を復号する制御手段」として、また、デスクランブラ４は、「前記制御手段で復号されたスクランブル鍵を用いて前記番組コンテンツのスクランブルを解除するデスクランブル手段」として、それぞれ機能する。
【００５１】
実施の形態３に係るデジタル放送受信機によれば、通信により外部サーバ１７から各放送局の最新のワーク鍵Ｋｗを取得し、保持しているワーク鍵Ｋｗを最新のものに更新することで、はじめて選局した放送局、あるいはワーク鍵Ｋｗの更新後にはじめて選局した放送局であっても、選局後、すぐに更新された最新のワーク鍵Ｋｗを試用することができる。
したがって、ワーク鍵Ｋｗを取得するまで映像や音声のデスクランブルができず、映像や音声の出力開始が遅くなるという不具合を解消することができる。
【００５２】
なお、スクランブル鍵Ｋｓの復号やデスクランブルの方法は、実施の形態１および実施の形態２と同様であるため重複を回避する意味で説明を省略する。また、実施の形態３に係るデジタル放送受信機によれば、制御部８が起動されたタイミングで、制御部（通信制御部８１６）がネットワーク１６経由で外部サーバ１７と通信を行い、各放送局のワーク鍵Ｋｗを取得するものとして説明したが、そのタイミンに制限されることなく任意のタイミングでよい。また、通信を行なうにあたり、外部サーバ１７に対し、はじめに直近のワーク鍵Ｋｗ取得日を通知し、直近のワーク鍵Ｋｗ取得日以降に更新されたワーク鍵Ｋｗのみを取得することにより通信量を減らしてもよい。
【００５３】
実施の形態３（応用例１）．
上記した実施の形態３によれば、外部サーバ１７を利用した通信手段によりワーク鍵Ｋｗを更新する方法を示したが、通信により取得するワーク鍵Ｋｗを現在地付近で受信できる可能性のある放送局のワーク鍵Ｋｗだけに限定することにより通信量を減らすことができる。このためのデジタル放送受信機の内部構成を実施の形態３の応用例１として図１１に、制御部８の機能構成を図１２に、動作の流れを図１３にフローチャートで示す。
【００５４】
図１１に示されるように、実施の形態３の応用例１に係るデジタル放送受信機は、実施の形態３が有する基本構成に、ＧＰＳ（Global Positioning System衛星からＧＰＳ信号（現在地測位信号）を受信するＧＰＳアンテナ１８と、ＧＰＳ信号を復調して緯度経度による現在地測位情報を演算により生成するＧＰＳ信号処理部１９が付加されている。他の構成は、図８に示す実施の形態３の基本構成と同様である。
また、制御部８の機能構成は、図１２に示されるように、図９に示す実施の形態３が有する構成に、放送エリア判別部８１８が付加されている。また、メモリ１１には、放送エリア判別部８１８により判別された放送エリアが保持される放送エリアデータ保持部２７が割当てられ保持される。他は、図９に示す実施の形態３と同様の機能構成を有する。
【００５５】
図１３のフローチャートにおいて、ＧＰＳ信号処理部１９は、一定時間毎に、例えば、１秒毎に緯度経度に関する現在地測位情報を生成し、制御部８に出力している。
制御部８が起動され、最初に現在地測位情報が入力されると（ステップＳＴ１３１“ＹＥＳ”）、放送エリア判別部８１８は、放送エリアデータ保持部２７から読み出した各放送局の放送エリアデータと、現在地の緯度経度とを比較し、現在地がどの放送局の放送エリア内に属するかを判別する（ステップＳＴ１３２）。これを受けて通信制御部８１６は、放送エリア判別部８１８の判別結果に基づき、現在地が放送エリア内に位置している放送局のワーク鍵Ｋｗのみを、通信部１５およびネットワーク１６を介して外部サーバ１７に要求して取得してＫｗ記録部８１７に出力し（ステップＳＴ１３３）、これを受けてＫｗ記録部８１７は、取得したワーク鍵Ｋｗをメモリ１１のＫｗ保持部２５に記録する（ステップＳＴ１３４）。
【００５６】
なお、選局操作の有無からＥＣＭ入力の有無を判定し、スクランブル鍵Ｋｓをデスクランブラ４にセットするまでの動作（ＳＴ３４〜ＳＴ４３）は実施の形態３と同様であるため、重複を回避する意味で説明を省略する。実施の形態３とは受信機プログラム（ワーク鍵Ｋｗ）の更新の仕方が異なるだけであり、スクランブル鍵Ｋｓの復号やデスクランブルの方法は実施の形態１と同様である。
以後、放送エリア判別部８１８は、ナビゲーション装置２０から緯度経度情報が制御部８に入力される毎に（ステップＳＴ１３５“ＹＥＳ”）、現在地がどの放送局の放送エリア内にあるかを判別し（ステップＳＴ１３６）、設定した経路から外れて走行する等により新たな放送局の放送エリアに入ったことを判別した場合（ステップＳＴ１３６“ＹＥＳ”）、通信制御部８１６を介して新たな放送局のワーク鍵Ｋｗを取得し（ステップＳＴ１３７）、Ｋｗ記録部５４を介してメモリ１１のＫｗ保持部２５に記録する（ステップＳＴ１３８）。
【００５７】
以上説明のようにこの発明の実施の形態３の応用例１に係るデジタル放送受信機によれば、例えば、放送エリア判別部８１８を含む制御部８は、ＧＰＳアンテナ１８とＧＰＳ信号処理部１９と協働して動作することにより、請求項４に記載の「現在地を検出し、前記通信により取得する前記更新されたワーク鍵を、現在地、もしくは現在地を含む近隣で受信可能な放送局のワーク鍵に制限する制御手段」として機能する。
【００５８】
上記した実施の形態３の応用例１に係るデジタル放送受信機によれば、ＧＰＳ等による位置情報から現在地付近で受信可能な放送局を判別し、通信で取得するワーク鍵Ｋｗを、現在地、もしくは現在地を含む近隣で受信可能な放送局のワーク鍵Ｋｗのみに制限することで通信量を減らすことができる。
なお、上記した応用例１では、現在地が放送エリアに該当する放送局のワーク鍵Ｋｗのみを取得する場合について示したが、現在地だけに限定せず、現在地付近、例えば現在地を中心とする半径１０Ｋｍ以内の地域が放送エリアに該当する放送局のワーク鍵Ｋｗを取得するようにしてもよい。
【００５９】
実施の形態３（応用例２）．
上記した応用例１では、現在地、もしくは現在地近隣で受信可能性のある放送局のワーク鍵Ｋｗのみ通信により取得する方法を示したが、例えば、車両等の移動体に搭載されるナビゲーション装置と連携し、ナビゲーション装置から得られる目的地および現在地から目的地までの経路で受信できる可能性のある放送局のワーク鍵Ｋｗを通信で取得すれば通信量を更に減らすことができる。
このためのデジタル放送受信機の内部構成を実施の形態３の応用例２として図１４に、制御部８の機能構成を図１５に、動作の流れを図１６にフローチャートで示す。
【００６０】
図１４に示されるように、図１１に応用例１として示したＧＰＳ信号処理部１９の代わりに、ナビゲーション装置２０が付加されている。他の構成は、図１１に示す応用例１と同様である。また、制御部８の機能構成は、図１５に示されるように、放送エリア判別部８１８への入力がＧＰＳ信号処理部１９に代わってナビゲーション装置２０から到来すること以外は図１２に示す応用例１の機能構成と同様である。
【００６１】
ユーザにより目的地が設定されると、ナビゲーション装置２０は、経路を探索して選択された経路案内を開始する。この時点でナビゲーション装置２０から制御部８に対し、現在地と、目的地と、途中経路の代表的な地点の緯度経度情報が入力される。また、現在地についても、その緯度経度に関する測位情報が、逐次、入力される。
図１６のフローチャートにおいて、制御部８が起動し、ナビゲーション装置２０から現在地と目的地と途中経路の代表的な地点の緯度経度情報が入力されると（ステップＳＴ１６１“ＹＥＳ”）、放送エリア判別部８１８は、放送エリアデータ保持部２７から読み出した各放送局の放送エリアデータと、現在地と目的地と途中経路の代表的な地点の緯度経度とを比較し、経路上の各地点がどの放送局の放送エリア内にあるかを判別する（ステップＳＴ１６２）。これを受け、通信制御部８１６は、放送エリア判別部８１８での判別結果に基づき、経路上の各地点が放送エリア内に位置している放送局のワーク鍵のみを、通信部１５およびネットワーク１６を介して外部サーバ１７に要求して取得し（ステップＳＴ１６３）、取得したワーク鍵Ｋｗを、Ｋｗ記録部８１７を介してメモリ１１のＫｗ保持部２５に記録する（ステップＳＴ１６４）。
【００６２】
なお、選局操作の有無からＥＣＭ入力の有無を判定し、スクランブル鍵Ｋｓをデスクランブラ４にセットするまでの動作（ＳＴ３４〜ＳＴ４３）は実施の形態３と同様であるため、重複を回避する意味で説明を省略する。実施の形態３とは受信機プログラム（ワーク鍵Ｋｗ）の更新の仕方が異なるだけであり、スクランブル鍵Ｋｓの復号やデスクランブルの方法は実施の形態１と同様である。
以後、放送エリア判別部８１８は、ナビゲーション装置２０から緯度経度情報が制御部８に入力される毎に（ステップＳＴ１６５“ＹＥＳ”）、現在地がどの放送局の放送エリア内にあるかを判別し（ステップＳＴ１６６）、設定した経路から外れて走行する等により新たな放送局の放送エリアに入ったことを判別した場合（ステップＳＴ１６６“ＹＥＳ”）、通信制御部８１６を介して新たな放送局のワーク鍵Ｋｗを取得し（ステップＳＴ１６８）、Ｋｗ記録部５４を介してメモリ１１のＫｗ保持部２５に記録する（ステップＳＴ１６９）。
【００６３】
以上説明のように実施の形態３の応用例２に係るデジタル放送受信機によれば、例えば、放送エリア判別部８１８を含む制御部８は、ナビゲーション手段としてのナビゲーション装置２０と協働して動作することにより、請求項５に記載の「ナビゲーション手段から目的地までの経路情報を取得し、前記通信により取得する前記更新されたワーク鍵を、現在地から目的地までの経路上で受信可能な放送局のワーク鍵に制限する制御手段」として機能する。
【００６４】
上記した実施の形態３の応用例１に係るデジタル放送受信機によれば、ナビゲーション装置２０から現在地までの経路情報を受け取り、通信で取得するワーク鍵Ｋｗを、現在地から目的地までの経路上で受信できる可能性のある放送局のワーク鍵のみに制限することができ、このため通信量の削減が可能である。また、一旦設定した経路を走行している限り、通信によるワーク鍵Ｋｗの取得は最初に行う１回で済む効果も得られる。
このため、応用例１と比較して通信量を一層減らすことができ、更には、ＧＰＳ処理に要する負荷をナビゲーション装置２０に分担可能であるたる制御部８の負荷が軽減される。
【００６５】
実施の形態３（応用例３）．
上記した応用例１および応用例２では、現在地または現在地近隣、あるいは目的地までの経路上で受信できる可能性のある放送局のワーク鍵Ｋｗだけを通信により取得する方法を示したが、過去の受信履歴から視聴頻度が高い放送局のワーク鍵Ｋｗのみを通信で取得することにより、更なる通信量の削減が可能である。
このためのデジタル放送受信機の内部構成は、図８に示す実施の形態３の基本構成を用いることとし、制御部８の機能構成を実施の形態３の応用例３として図１７に、動作の流れを図１８にフローチャートで示す。図１７に示されるように、メモリ１１内に選局回数記録部２８が領域割当され保持される以外は図９に示す実施の形態３の機能構成と同じである。
【００６６】
図１８のフローチャートにおいて、制御部８が起動すると、制御部８は、通信制御部８１６により通信部１５を制御して、ネットワーク１６を介して、外部サーバ１７にアクセスする。このとき、選局処理部８０４は、選局回数記録部２８から選局回数が所定の回数以上の放送局を選択し（ステップＳＴ１８１）、通信制御部８１６を介して選択した放送局のワーク鍵Ｋｗのみを要求し取得する（ステップＳＴ１８２）。
そして取得したワーク鍵Ｋｗは、Ｋｗ記録部８１７によりメモリ１１のＫｗ保持部２５に記録される（ステップＳＴ１８３）。このワーク鍵Ｋｗは、独自の暗号鍵Ｋｍにより暗号化され、外部サーバ１７に保持されている。
【００６７】
続いて、リモコン１２から選局指示がなされると（ステップＳＴ３４“ＹＥＳ”）、制御部８では、リモコン入力部８０３を介して選局処理部８０４によりチューナ２を制御し、ここで指示された放送局が選局される。Ｋｗ選択部８０７は、Ｋｗ抽出部８１１からワーク鍵Ｋｗが抽出され始めるまでは、選局処理部８０４によって選局された放送局を判別し、メモリ１１のＫｗ保持部２５から該当する放送局のワーク鍵Ｋｗを読み出し（ステップＳＴ３５）、独自の暗号鍵Ｋｍを用いて復号する（ステップＳＴ３６）。
とのとき、選局処理部８０４は、リモコン１２から選局指示が入力される毎に、選局指示された放送局に相当するメモリ１１の選局回数記録部２８に記録されている選局回数を＋１だけ増加させる（ステップＳＴ１８４）。これにより、メモリ１１の選局回数記録部２８に放送局毎の受信履歴が蓄積され、ＧＰＳやナビゲーション装置がなくても取得する放送局のワーク鍵Ｋｗを過去の視聴頻度が高い放送局に制限でき、すなわち、受信する可能性の高い放送局に限定することができ更なる通信量の削減が可能である。
【００６８】
なお、デマルチプレクサ５によりトランスポートストリームから抽出されたＥＭＭがＫｗ抽出部８１１に入力されるとワーク鍵Ｋｗが抽出され（ステップＳＴ３７“ＹＥＳ”、ＳＴ３８）、Ｋｗ復号部８１３は、Ｋｄ選択部８１２でメモリ１１のＫｄ保持部２４から選択されたデバイス鍵Ｋｄを用いてワーク鍵Ｋｗを復号する（ステップＳＴ３９）。
Ｋｗ選択部８０７において、最初は、Ｋｗ復号部８０８のワークー鍵Ｋｗが選択され、ＥＭＭからワークー鍵Ｋｗが抽出された後は、Ｋｗ復号部８１３のワーク鍵Ｋｗが選択される。また、デマルチプレクサ５でトランスポートストリームから抽出されたＥＣＭがＫｓ抽出部８０９に入力されるとスクランブル鍵Ｋｓが抽出され（ステップＳＴ４０“ＹＥＳ”、ＳＴ４１）、Ｋｓ復号部８１０は、Ｋｗ選択部８１４で選択されたワーク鍵Ｋｗを用いてスクランブル鍵Ｋｓを復号する（ステップＳＴ４２）。ここで復号されたスクランブル鍵Ｋｓはデスクランブラ４に入力され、トランスポートストリームのデスクランブルに使用される（ステップＳＴ４３）。
【００６９】
以上説明のようにこの発明の実施の形態３の応用例３に係るデジタル放送受信機によれば、例えば、選局処理部８０４を含む制御部８は、メモリ１１に割り付けられ記憶される選局回数記録部２８の選局履歴を管理することにより、請求項６に記載の「放送局毎の選局履歴を記憶し、前記通信により取得する前記更新されたワーク鍵を、選局頻度の高い放送局のワーク鍵に制限する制御手段」として機能する。
【００７０】
上記したこの発明の実施の形態３の応用例１に係るデジタル放送受信機によれば、常時受信履歴を蓄積しておき、受信頻度の高い放送局を判別して当該放送局のワーク鍵Ｋｗのみを通信により取得することで、ワーク鍵Ｋｗを取得する放送局を絞り通信量を減らすことができる。
なお、上記した実施の形態３の応用例３では、選局回数が所定の回数以上の放送局を選択する場合について示したが、選局回数が全選局回数に対して所定の割合以上の放送局を選択するようにしてもよい。また、選局回数の代わりに選局時間を用いてもよく、視聴頻度の高い放送局が選択できればよい。
【００７１】
実施の形態４．
上記した実施の形態１〜実施の形態３では、事前に保持しておく各放送局のワーク鍵Ｋｗ取得のために、デジタル放送受信機とは別に事前に各放送局の放送を受信してワーク鍵Ｋｗを取得する方法について説明したが、各デジタル放送受信機が放送受信により取得したワーク鍵Ｋｗを、通信手段を用いることで専用の外部サーバに送り、この外部サーバで各放送局のワーク鍵Ｋｗを収集するようにしてもよい。
このために使用されるデジタル放送受信機の内部構成は、図８に示す実施の形態３と同じとする。実施の形態３では、予め取得しておいたワーク鍵Ｋｗを外部サーバ１７に蓄積しておき、外部サーバ１７からデジタル放送受信機へ配信するだけであったのに対し、以下に説明する実施の形態４では、デジタル放送受信機が放送を受信して取得したワーク鍵Ｋｗを独自の暗号鍵Ｋｍを用いて暗号化し、通信部１５、ネットワーク１６を介して制御部８から外部サーバ１７へ送信し、外部サーバ１７にて自動蓄積する構成とした。
【００７２】
このための制御部８の機能構成を図１９に、動作の流れを図２０にフローチャートで示す。図１９において、ワーク鍵Ｋｗを独自の暗号鍵Ｋｍを用いて暗号化するＫｗ暗号部８１８が付加されている以外は、図９に示した実施の形態３における制御部８の機能構成と同様である。
以下、図２０のフローチートを参照しながら、この発明の実施の形態４に係るデジタル放送受信機の動作につき詳細に説明する。
【００７３】
まず、制御部８が起動されると、通信制御部８１６は、通信部１５を制御してネットワーク１６経由で外部サーバ１７をアクセスする。このことにより通信制御部８１６は、各放送局のワーク鍵Ｋｗを取得し（ステップＳＴ１０１）、取得したワーク鍵ＫｗをＫｗ記録部８１７によりメモリ１１のＫｗ保持部２５に書き込む（ステップＳＴ１０２）。
選局以降、デマルチプレクサ５でトランスポートストリームから抽出されたＥＭＭがＫｗ抽出部８１１に入力され、ここでワーク鍵Ｋｗが抽出され、Ｋｄ選択部８１２でメモリ１１のＫｄ保持部２４から読み出されたデバイス鍵Ｋｄを用いＫｗ復号部８１３でワーク鍵Ｋｗが復号される手順（ステップＳＴ３４〜ＳＴ３９）は、実施の形態１や実施の形態２と同じである。ここで、Ｋｗ復号部８１３で復号されたワーク鍵Ｋｗがそれまで保持していたワーク鍵Ｋｗと異なっていた場合（ステップＳＴ２０１“ＹＥＳ”）、Ｋｗ暗号部８１８で独自の暗号鍵Ｋｍを用いて暗号化し（ステップＳＴ２０２）、通信制御部８１６、通信部１５、ネットワーク１６を介して、外部サーバ１７に送信する（ステップＳＴ２０３）。
【００７４】
フローチャートへの記載はないが、このとき、外部サーバ１７は、各デジタル放送受信機から送信されてくるワーク鍵Ｋｗのバージョンをチェックし、メモリ１１のワーク鍵保持部２５に保持しているワーク鍵Ｋｗより新しいものがあれば、そのワーク鍵Ｋｗを更新する。このことにより、各放送局のワーク鍵を手動で収集することなく自動収集が可能になる。
なお、デマルチプレクサ５でトランスポートストリームから抽出されたＥＣＭがＫｓ抽出部８０９に入力されるとスクランブル鍵Ｋｓが抽出され（ステップＳＴ４０“ＹＥＳ”、ＳＴ４１）、Ｋｓ復号部８１０は、Ｋｗ選択部８１４で選択されたワーク鍵Ｋｗを用いてスクランブル鍵Ｋｓを復号し（ステップＳＴ４２）、ここで復号されたスクランブル鍵Ｋｓはデスクランブラ４に入力され、トランスポートストリームのデスクランブルに使用される（ステップＳＴ４３）。この手順は、実施の形態１や実施の形態２と同様である。
【００７５】
上記したこの発明の実施の形態４に係るデジタル放送受信機によれば、例えば、アンテナ１と、チューナ２と、ＯＦＤＭ復調部３は、請求項７に記載の「デジタル放送信号を受信して復調するデジタル放送受信手段」として、また、ワーク鍵保持部２５が割り付けられ保持されるメモリ１１は、「前記ワーク鍵を保持する記憶手段」として、また、通信部１５と、通信制御部８１６とＫｗ暗号部８１８を含む制御部８は、「デジタル放送信号に多重され伝送される各放送局のワーク鍵を取得し、前記記憶手段に保持するとともに、暗号化した各放送局のワーク鍵を通信により前記外部サーバに送信する通信手段」として、また、通信制御部８１６とＫｗ記録部８１７を含む制御部８は、「前記通信手段により前記外部サーバから取得した各放送局のワーク鍵で前記記憶手段に保持されているワーク鍵を更新し、前記更新されたワーク鍵を用いて前記スクランブル鍵を復号する制御手段」として、デスクランブラ４は、「前記制御手段で復号されたスクランブル鍵を用いて前記番組コンテンツのスクランブルを解除するデスクランブル手段」として、それぞれ機能する。
【００７６】
実施の形態４に係るデジタル放送受信機によれば、各デジタル放送受信機が各放送局のＥＭＭを受信して取得したワーク鍵Ｋｗを、通信手段により外部サーバ１７に送信し、外部サーバ１７で各放送局のワーク鍵Ｋｗを集約することにより、各デジタル放送受信機は、各放送局の最新のワーク鍵Ｋｗをほぼ時間遅れなしでワーク鍵の収集を自動化できる。
このため、メモリ１１のＫｗ保持部２５に保持されたワーク鍵Ｋｗをすぐに使用するこができるようになり、はじめて選局した放送局、あるいはワーク鍵Ｋｗの更新後にはじめて選局した放送局であっても、選局後すぐに取得したワーク鍵Ｋｗを使うことができ、ワーク鍵Ｋｗを取得するまで映像や音声のデスクランブルができず、映像や音声の出力開始が遅くなるといった不具合が解消される。
【００７７】
実施の形態５．
上記した実施の形態１〜実施の形態４は、ワーク鍵Ｋｗを事前に保持しておき、ダウンロード、あるいは通信により更新する方法について示したが、実施の形態５では、複数のチューナを用い、一方のチューナで放送を受信して視聴している間に他方のチューナで放送局を順次サーチし、受信できた放送局のワーク鍵Ｋｗを取得して保存しておく方法について説明する。この場合、視聴のために選局するまでにワーク鍵Ｋｗが取得されているため効率的である。以下にその詳細に説明する。
【００７８】
デジタル放送受信機の内部構成を図２１に、そのときの制御部８の機能構成を図２２に、動作の流れを図２３にフローチャートで示す。
以下、図２１〜図２３を参照しながら、この発明の実施の形態５に係るデジタル放送受信機について詳細に説明する。
【００７９】
図２１に示されるように、この発明の実施の形態５に係るデジタル放送受信機は、実施の形態１（あるいは実施の形態２、３、４）で示される第１の系統のデジタル放送受信機に、アンテナ３１、チューナ３２、ＯＦＤＭ復調部３３、デスクランブラ３４、デマルチプレクサ３５、オーディオデコーダ３６、ビデオデコーダ３７、音声出力部３９、映像出力部４０からなる第２の系統のデジタル放送受信機が付加されている。
上記した２系統のデジタル放送受信機は、通常、それぞれ別の番組コンテンツを受信して２画面に同時表示し、あるいは一方の系統のデジタル放送受信機で番組コンテンツを受信して１画面に表示すると同時に、他方の系統のデジタル放送受信機で受信可能な放送局をサーチする用途に使用される。ここでは、第１の系統のデジタル放送受信機で番組コンテンツを受信して１画面に表示すると同時に、第２の系統のデジタル放送受信機で受信可能な放送局をサーチし、受信できた放送局のＥＭＭを取得してワーク鍵Ｋｗを抽出し、保持する仕組みを採用することとした。
【００８０】
第１の系統、すなわちアンテナ１に接続され第１のデジタル放送受信手段は、リモコン１２からの選局指示に応じて、制御部８内におけるリモコン入力部８０３により選局処理部８０４を介してチューナ２を制御する。ここで、選局対象のチャンネルの周波数成分が抽出され、この周波数成分は、ＯＦＤＭ復調部３でデジタル信号に復調され、トランスポートストリームとしてデスクランブラ４に入力される。
トランスポートストリームのスクランブルがかかったパケットは、デスクランブラ４でスクランブルが解除され、デマルチブレクサ５で、オーディオストリーム、ビデオストリーム、ＥＣＭ、ＥＭＭ他に分離される。オーディオストリームは、オーディオデコーダ６、音声出力部９を介して音声出力として出力され、ビデオストリームは、ビデオデコーダ７、映像出力部１０を介して映像出力として出力される。
【００８１】
このとき、デスクランブルは以下のように行なわれる。すなわち、図２３（ａ）のフローチャートにおいて、実施の形態１と同様、リモコン１２から選局切り換え指示がなされると（ステップＳＴ３４“ＹＥＳ”）、制御部８では、リモコン入力部８０３を介して選局処理部８０４によりチューナ２を制御し、ここで指示された放送局が選局される。
Ｋｗ選択部８１９は、Ｋｗ抽出部８１１からワーク鍵Ｋｗが抽出され始めるまでは、選局処理部８０４によって選局された放送局を判別し、メモリ１１のＫｗ保持部２５から該当する放送局のワーク鍵Ｋｗを読み出して選択する（ステップＳＴ３５）。
【００８２】
続いて、デマルチプレクサ５によりトランスポートストリームから抽出されたＥＭＭがＫｗ抽出部８０９に入力されるとワーク鍵Ｋｗが抽出され（ステップＳＴ３７“ＹＥＳ”、ＳＴ３８）、Ｋｗ抽出部８１１からワーク鍵Ｋｗが抽出され始めたら（ステップＳＴ２３１“ＹＥｓ”）、Ｋｗ抽出部８１１によって抽出されたワーク鍵Ｋｗを選択する。ここで、Ｋｗ選択部８１９で選択されたワーク鍵Ｋｗは暗号化された状態にあり、したがって、Ｋｄ選択部８１２がメモリ１１のＫｄ保持部２４から選択されたこの放送局のデバイス鍵Ｋｄを用い、Ｋｗ復号部８１３でワーク鍵Ｋｗを復号する（ステップＳＴ２３２）。
【００８３】
デマルチプレクサ５でトランスポートストリームから抽出されたＥＣＭがＫｓ抽出部８０９に入力されると（ステップＳＴ４０“ＹＥＳ”）、Ｋｓ抽出部８０９はスクランブル鍵Ｋｓを抽出してＫｓ復号部８１０へ出力する（ステップＳＴ４１）。
次に、Ｋｓ復号部８１０は、Ｋｗ復号部３９で復号されたワーク鍵Ｋｗを用いてスクランブル鍵Ｋｓを復号する（ステップＳＴ４２）。復号されたスクランブル鍵Ｋｓは、デスクランブラ４に入力され（ステップＳＴ４３）、トランスポートストリームのデスクランブルに使用される。
【００８４】
一方、図２３（ｂ）のフローチャートに示されるように、第２の系統、すなわちアンテナ３１に接続された第２のデジタル放送受信手段は、まず、制御部８内のリモコン入力部８０３を介して選局処理部８０４によりチューナ３２が制御され、ここで、選択対象チャンネルが順次選局される（ステップＳＴ２３３）。
ここで、選局された放送局の放送が受信できると、その周波数成分はＯＦＤＭ復調部３３でデジタル信号に復調され、トランスポートストリームとしてデスクランブラ３４に入力される。この系統で映像や音声を出力しない場合は、デスクランブルの必要はないためデスクランブラ３４はスルーして、デマルチプレクサ３５で、オーディオストリーム、ビデオストリーム、ＥＣＭ、ＥＭＭ他に分離される。
【００８５】
このうちのＥＭＭが制御部８に新規に付加されたＫｗ抽出部８２０に入力され（ステップＳＴ３７“ＹＥＳ”）、ここでワーク鍵Ｋｗが抽出されると（ステップＳＴ３８）、このワーク鍵Ｋｗは、メモリ１１内のＫｗ保持部２５に記録される（ステップＳＴ２３４）。ここでワーク鍵Ｋｗが取得できたら、選局処理部８０４は、次のチャンネルを選局する。
以後、同様の動作を繰り返し、全選局対象チャンネルのワーク鍵Ｋｗを取得して、メモリ１１のＫｗ保持部２５に記録する。
【００８６】
上記した実施の形態５に係るデジタル放送受信機によれば、例えば、第１の系統における、アンテナ１、チューナ２、ＯＦＤＭ復調部３と、第２の系統における、アンテナ３１と、チューナ３２と、ＯＦＤＭ復調部３３は、請求項８に記載の「デジタル放送信号を受信して復調する第１と第２のデジタル放送受信手段」として、また、ワーク鍵保持部２５が割り付けられたメモリ１１は、「前記デジタル放送信号に多重され伝送されるワーク鍵を保持する記憶手段」として、また、Ｋｗ抽出部８２０を含む制御部８は、「前記第１のデジタル放送受信手段で前記番組コンテンツを視聴中に、前記第２のデジタル放送受信手段を用い、前記デジタル放送信号に多重され伝送される更新された各放送局のワーク鍵を取得して前記記憶手段に保持するとともに、前記記憶手段に保持されたワーク鍵を用いて前記スクランブル鍵を復号する制御手段」として、また、第１の系統のデスクランブラ４と、第２の系統のデスクランブラ３４は、「前記制御手段で復号されたスクランブル鍵を用いて前記番組コンテンツのスクランブルを解除するデスクランブル手段」として、それぞれ機能する。
【００８７】
この発明の実施の形態５に係るデジタル放送受信機によれば、複数のデジタル放送受信手段を備え、第１のデジタル放送受信手段を用いて番組コンテンツを視聴中に、第２のデジタル放送受信手段で各放送局を選局し、ＥＭＭを受信してワーク鍵Ｋｗを取得してメモリ１１のＫｗ保持部２５に保持しておくことで、視聴のために選局するまでにワーク鍵Ｋｗを取得することができ、このことによりメモリ１１のＫｗ保持部２５に保持されたワーク鍵Ｋｗをすぐに使用するこができるようになる。したがって、はじめて選局した放送局、あるいはワーク鍵Ｋｗの更新後にはじめて選局した放送局であっても、選局後すぐに取得したワーク鍵Ｋｗを使うことができ、ワーク鍵Ｋｗを取得するまで映像や音声のデスクランブルができず、映像や音声の出力開始が遅くなるといった不具合が解消される。
【００８８】
なお、上記した実施の形態５によれば、第１のデジタル放送受信手段で番組コンテンツを視聴しているときに、第２のデジタル放送受信手段で各放送局をサーチし、ワーク鍵Ｋｗを取得するものとして説明したが、いずれのデジタル放送受信手段によっても番組コンテンツを視聴していないときに各デジタル放送受信手段が各放送局をサーチしてワーク鍵Ｋｗを取得するようにしてもよい。
【００８９】
以上説明のようにこの発明のデジタル放送受信機によれば、予めワーク鍵Ｋｗを取得しておくことにより、選局してからワーク鍵Ｋｗを取得までの時間遅れにより発生する悪影響を回避することができる。このため、特に、受信する放送局が変化する毎にその放送局の放送をはじめて受信する機会の多い車載用デジタル放送受信機等の移動体に用いて得られる効果が大きい。
【００９０】
なお、上記した実施の形態１〜実施の形態５において、図２、図６、図９、図１２、図１５、図１７、図１９、図２２にそれぞれ示す、制御部８が有する機能は、全てをソフトウェアによって実現しても、あるいはその少なくとも一部をハードウェアで実現してもよい。例えば、図２に示す制御部８が、デジタル放送信号に多重され伝送される、更新されたワーク鍵を含む受信機プログラムを取得して記憶手段を更新するとともに、受信中のデジタル放送信号から更新されたワーク鍵を取得するまでの間、記憶手段から読み出されるワーク鍵を用いてスクランブル鍵を復号するデータ処理は、１または複数のプログラムによりコンピュータ上で実現してもよく、また、その少なくとも一部をハードウェアで実現してもよい。
【図面の簡単な説明】
【００９１】
【図１】この発明の実施の形態１に係るデジタル放送受信機の内部構成を示すブロック図である。
【図２】この発明の実施の形態１に係るデジタル放送受信機が有する制御部の内部構成を機能展開して示したブロック図である。
【図３】この発明の実施の形態１に係るデジタル放送受信機の基本動作を示すフローチャートである。
【図４】この発明の実施の形態１に係るデジタル放送受信機のダウンロード放送実行時の動作を示すフローチャートである。
【図５】この発明の実施の形態２に係るデジタル放送受信機の内部構成を示すブロック図である。
【図６】この発明の実施の形態２に係るデジタル放送受信機が有する制御部の内部構成を機能展開して示したブロック図である。
【図７】この発明の実施の形態２に係るデジタル放送受信機の動作を示すフローチャートである。
【図８】この発明の実施の形態３に係るデジタル放送受信機の内部構成を示すブロック図である。
【図９】この発明の実施の形態３に係るデジタル放送受信機が有する制御部の内部構成を機能展開して示したブロック図である。
【図１０】この発明の実施の形態３に係るデジタル放送受信機の基本動作を示すフローチャートである。
【図１１】この発明の実施の形態３（応用例１）に係るデジタル放送受信機の内部構成を示すブロック図である。
【図１２】この発明の実施の形態３（応用例１）に係るデジタル放送受信機が有する制御部の内部構成を機能展開して示したブロック図である。
【図１３】この発明の実施の形態３（応用例１）に係るデジタル放送受信機の基本動作を示すフローチャートである。
【図１４】この発明の実施の形態３（応用例２）に係るデジタル放送受信機の内部構成を示すブロック図である。
【図１５】この発明の実施の形態３（応用例２）に係るデジタル放送受信機が有する制御部の内部構成を機能展開して示したブロック図である。
【図１６】この発明の実施の形態３（応用例２）に係るデジタル放送受信機の基本動作を示すフローチャートである。
【図１７】この発明の実施の形態３（応用例３）に係るデジタル放送受信機が有する制御部の内部構成を機能展開して示したブロック図である。
【図１８】この発明の実施の形態３（応用例３）に係るデジタル放送受信機の基本動作を示すフローチャートである。
【図１９】この発明の実施の形態４に係るデジタル放送受信機が有する制御部の内部構成を機能展開して示したブロック図である。
【図２０】この発明の実施の形態４に係るデジタル放送受信機の基本動作を示すフローチャートである。
【図２１】この発明の実施の形態５に係るデジタル放送受信機の内部構成を示すブロック図である。
【図２２】この発明の実施の形態５に係るデジタル放送受信機が有する制御部の内部構成を機能展開して示したブロック図である。
【図２３】この発明の実施の形態５に係るデジタル放送受信機の基本動作を示すフローチャートである。
【符号の説明】
【００９２】
１，３１  アンテナ、２，３２  チューナ、３，３３  ＯＦＤＭ復調部、４，３４  デスクランブラ、５，３５  デマルチプレクサ、６，３６  オーディオデコーダ、７，３７  ビデオデコーダ、８  制御部（８０１  ＳＤＴＴ入力部、８０２  ダウンロード制御部、８０３  リモコン入力部、８０４  選局処理部、８０５  ＤＳＭ−ＣＣ入力部、８０６  プログラム記録部、８０７，８１４，８１９  Ｋｗ選択部、８０８，８１３  Ｋｗ復号部、８０８，８０９  Ｋｓ抽出部、８１０，Ｋｓ復号部、８１１，８２０  Ｋｗ抽出部、８１２，Ｋｄ選択部、８１６  通信制御部、８１７  Ｋｗ記録部、８１８  放送エリア判別部）、９，３９  音声出力部、１０，４０，映像出力部、１１  メモリ（２４  Ｋｄ保持部、２５，Ｋｗ保持部、２６  Ｋｍ保持部、２７  放送エリアデータ保持部、２８  選局回数記録部、１１１  第１プレーン、１１２  第２プレーン、１１３  有効プレーン指示部）、１２  リモコン、１３  メモリカード、１４  メモリカード制御部、１５  通信部、１６  ネットワーク、１７  外部サーバ、１８  ＧＰＳアンテナ、１９  ＧＰＳ信号処理部、２  ナビゲーション装置。
【図１】
2009200616.tif 000003
【図２】
2009200616.tif 000004
【図３】
2009200616.tif 000005
【図４】
2009200616.tif 000006
【図５】
2009200616.tif 000007
【図６】
2009200616.tif 000008
【図７】
2009200616.tif 000009
【図８】
2009200616.tif 000010
【図９】
2009200616.tif 000011
【図１０】
2009200616.tif 000012
【図１１】
2009200616.tif 000013
【図１２】
2009200616.tif 000014
【図１３】
2009200616.tif 000015
【図１４】
2009200616.tif 000016
【図１５】
2009200616.tif 000017
【図１６】
2009200616.tif 000018
【図１７】
2009200616.tif 000019
【図１８】
2009200616.tif 000020
【図１９】
2009200616.tif 000021
【図２０】
2009200616.tif 000022
【図２１】
2009200616.tif 000023
【図２２】
2009200616.tif 000024
【図２３】
2009200616.tif 000025